(57)【要約】【課題】部品点数の削減、小型化並びにコスト低減を可能にした新規の省電力回路を提供する。【解決手段】交流電源６の一極に第一のコンデンサ１の一端を接続し、同じく交流電源６の一極にスイッチング素子２と第二のコンデンサ３との直列回路を接続して、第一のコンデンサ１と前記直列回路とを並列に接続し、第一のコンデンサ１及び第二のコンデンサ３の他端に整流ブリッジ７の一方の交流端子を接続し、この整流ブリッジ７の他方の交流端子を交流電源６の他極に接続し、スイッチング素子２の他端に負荷１２を接続し、この負荷１２を交流電源６の他極及び整流ブリッジ７の他方の交流端子に接続してあり、スイッチング素子２がオンした際に、第一のコンデンサ１及び第二のコンデンサ３を通して直流電源１０並びに負荷１２に電流を供給するための回路手段を有することを特徴とする省電力回路。【選択図】図１
2004096944.tif 000002
【特許請求の範囲】
【請求項１】
交流電源の一極に第一のコンデンサの一端を接続し、同じく交流電源の一極にスイッチング素子の一端を接続し、このスイッチング素子の他端に第二のコンデンサの一端を接続して、前記第一のコンデンサと、前記スイッチング素子と前記第二のコンデンサとの直列回路とを並列に接続し、前記第一のコンデンサ及び第二のコンデンサの他端に整流ブリッジの一方の交流端子を接続し、この整流ブリッジの他方の交流端子を前記交流電源の他極に接続し、前記スイッチング素子の他端に負荷を接続し、この負荷を前記交流電源の他極及び前記整流ブリッジの他方の交流端子に接続してあり、前記スイッチング素子がオンした際に、前記第一のコンデンサ及び第二のコンデンサを通して直流電源並びに前記負荷に電流を供給するための回路手段を有することを特徴とする省電力回路。
【請求項２】
前記整流ブリッジの直流端子の両端にツェナーダイオードを接続し、このツェナーダイオードと並列に平滑コンデンサを接続してあることを特徴とする請求項１記載の省電力回路。
【請求項３】
前記整流ブリッジの直流端子の両端にセンサを備えたセンサ回路を設けてあることを特徴とする請求項１又は２記載の省電力回路。
【発明の詳細な説明】
【０００１】
【発明の属する技術分野】
本発明は、電子機器の待機電力を低減する省電力回路に関するものである。
【０００２】
【従来の技術】
従来の省電力回路を図２に示す。この省電力回路は、交流電源６の一極に第一のコンデンサ１の一端を接続し、同じく交流電源６の一極に第一のスイッチング素子２の一端を接続し、この第一のスイッチング素子２の他端に第二のコンデンサ３の一端を接続して、前記第一のコンデンサ１と、前記第一のスイッチング素子２と前記第二のコンデンサ３との直列回路とを並列に接続し、前記第一のコンデンサ１及び第二のコンデンサ３の他端に整流ブリッジ７の一方の交流端子を接続し、さらに、交流電源６の一極に第二のスイッチング素子４を接続し、この第二のスイッチング素子４に負荷２２を接続し、この負荷２２を前記交流電源６の他極及び前記整流ブリッジ７の他方の交流端子に接続していた（特許文献１参照。）。
【０００３】
【特許文献１】
国際公開第００／１４８５０号パンフレット（第４−６頁、第１図）
【０００４】
【発明が解決しようとする課題】
上記のような構成であるため、同一信号ラインより第一のスイッチング素子２と第二のスイッチング素子４とを同時にオンさせて、交流電流を電源内部及び負荷側に供給しているため、部品点数も多くなり、装置の小型化及びコスト低減が困難であるという課題が生じた。
【０００５】
本発明は、上記問題に鑑みてなされたものであり、部品点数の削減、小型化並びにコスト低減を可能にした新規の省電力回路を提供する。
【０００６】
【課題を解決しようとする手段】
上記目的を達成するためになされた本発明は、電源内部及び負荷側に交流電流を供給する際に、スイッチング素子が一つで済み、その結果、部品点数を削減することができ、これに伴い、装置の小型化並びにコスト低減することができる。
【０００７】
【発明の実施の形態】
以下、添付図面を用いて本発明省電力回路に係る実施例を説明する。図１は本発明に係る省電力回路の一実施例を示す。１，３、９はコンデンサ、２はスイッチング素子、６は交流電源、７は整流ブリッジ、８はツェナーダイオード、１１はセンサ回路、１２は負荷である。
【０００８】
本実施例に係る省電力回路は、交流電源６の一極に第一のコンデンサ１の一端を接続してある。同じく交流電源６の一極にスイッチング素子２の一端を接続し、このスイッチング素子２の他端を第二のコンデンサ３の一端を接続して直列回路を構成し、この直列回路に第一のコンデンサ１が並列に接続するよう構成してある。スイッチング素子２と第二のコンデンサ３との接続部に負荷１２が接続し、この負荷１２は交流電源６の他極に接続してある。
【０００９】
前記直列回路と第一のコンデンサ１との接続部に整流ブリッジ７の一方の交流端子を接続してある。この整流ブリッジ７の他方の交流端子を交流電源６の他極に接続してある。また、整流ブリッジ７の直流端子間にツェナーダイオード８を接続し、このツェナーダイオード８と並列に平滑コンデンサ９を接続し、同じく、ツェナーダイオード８と並列にセンサ回路１１を接続してある。
【００１０】
以上のように構成してある省電力回路は以下のような作用をする。交流電源６の各極と第一のコンデンサ１の対応する極板との間を電荷が移動して交流電流が生じる。この交流電流は交流電源６と第一のコンデンサ１との間を流れる際に整流ブリッジ７によって整流される。この整流作用により、ツェナーダイオード８のツェナー電圧に対応した量の電荷が平滑コンデンサ９に充電され、センサ回路１１のための直流電源１０として機能する。
【００１１】
なお、センサ回路１１については構成を限定しないため、本実施例では具体的構成を示していないが、このセンサ回路１１にセンサを備えてあり、このセンサがオンすると、スイッチング素子２がオンする。このスイッチング素子２がオンすると、このスイッチング素子２と第二のコンデンサ３とを通る交流電流が交流電源６から流れ、この交流電流も整流ブリッジ７へ供給される。このため直流電源１０の電流出力能力が補強される。また、スイッチング素子２の他端は負荷１２に接続してあり、スイッチング素子２がオンになると、交流電源６の交流電圧が負荷１２に供給され、負荷１２は動作状態になる。この負荷１２は受光素子を備え、センサ回路１１のセンサから受光素子がオンコマンドを受光したときに、待機状態から動作状態に移行する。
【００１２】
一方、前記受光素子がセンサ回路１１のセンサからオフコマンドを受光すると、スイッチング素子２もオフし、省電力回路は待機モードに戻る。スイッチング素子２がオフ状態になると、負荷１２に交流電流が供給されず、第一のコンデンサ１及び第二のコンデンサ３は電力を消費しないので、省電力回路の待機モードでの消費電力はツェナーダイオード８及びセンサ回路１１での消費分のみとなる。また、第一のコンデンサ１並びに第二のコンデンサ３を通過する交流電流は第一のコンデンサ１並びに第二のコンデンサ３の端子電圧に比べ位相が９０°進んでいるので、電力が消費されない。
【００１３】
【発明の効果】
本発明によれば、電源内部及び負荷側に交流電流を供給する際に、スイッチング素子が一つで済み、その結果、部品点数を削減することができ、これに伴い、装置の小型化並びにコスト低減することができる効果がある。
【図面の簡単な説明】
【図１】本発明に係る一実施例の回路図である。
【図２】従来例の回路図である。
【符号の説明】
１　第一のコンデンサ
２　スイッチング素子
３　第二のコンデンサ
６　交流電源
７　整流ブリッジ
８　ツェナーダイオード
９　平滑コンデンサ
１１　センサ回路
１２，２２　負荷
【図１】
2004096944.tif 000003
【図２】
2004096944.tif 000004